(57)【要約】      （修正有）【課題】オーディオ機器の熱を効率よく逃がすことができ、オーディオ機器の上方の棚板が局部的に高温になるのを容易に回避できるオーディオラックを提供する。【解決手段】上下方向に所定の間隔を空けて配置された複数の棚板１２，１４，１６，１８を有する。発熱が大きいオーディオ機器であるパワーアンプが設置される棚板１６に対して１つ上側の棚板１４（上棚板１４）は、所定厚さの金属製の板で形成される。上棚板１４の下面１４ｂ側に、下面１４ｂの表面積を増加させるための凹凸部１４ｃが設けられる。【選択図】図１
0003209820.tif 000002
【実用新案登録請求の範囲】
【請求項１】
上下方向に所定の間隔を空けて配置された複数の棚板を有するオーディオラックにおいて、
発熱が大きいオーディオ機器が設置される前記棚板に対して１つ上側の前記棚板である上棚板は、所定厚さの金属製の板で形成され、前記上棚板の下面側に、当該下面の表面積を増加させるための凹凸部が設けられていることを特徴とするオーディオラック。
【請求項２】
前記凹凸部は、前記上棚板の下面側の中央部から同心円状に配置した複数の凹条又は凸条により設けられている請求項１記載のオーディオラック。
【請求項３】
前記凹凸部は、前記上棚板の下面側の中央部から放射状に配置された複数の凹条又は凸条により設けられている請求項１記載のオーディオラック。
【請求項４】
前記上棚板は、アルミ製である請求項１乃至３のいずれか記載のオーディオラック。
【考案の詳細な説明】
【技術分野】
【０００１】
本考案は、パワーアンプやスピーカ等のオーディオ機器を設置するためのオーディオラックに関する。
【背景技術】
【０００２】
従来、例えば特許文献１の図３に開示されているように、発熱が大きいオーディオアンプ等が設置される段板（以下、下棚板と称する。）を有し、その１つ上側の段板（以下、上棚板と称する。）の下面に断熱材を貼着したことを特徴とするオーディオラックがあった。通常のオーディオラックは、オーディオアンプの熱を受けて上棚板が局部的に高温になるところ、特許文献１のオーディオラックは、上棚板の下面に断熱材を貼着することによって、上棚板の温度が上昇するのを防止している。
【先行技術文献】
【特許文献】
【０００３】
【特許文献１】特開２００２−２１７５７８号公報
【考案の概要】
【考案が解決しようとする課題】
【０００４】
特許文献１のオーディオラックは、上棚板と下棚板の間に熱がこもってしまうため、オーディオアンプ等の放熱を十分に行うことができないものである。一応、上棚板の端部（断熱材が無い部分）に熱を逃がすための開口が設けられているが、このような開口を設けたとしても、放熱の効果は限定的である。
【０００５】
本考案は、上記背景技術に鑑みて成されたものであり、オーディオ機器の熱を効率よく逃がすことができ、オーディオ機器の上方の棚板が局部的に高温になるのを容易に回避できるオーディオラックを提供することを目的とする。
【課題を解決するための手段】
【０００６】
本考案は、上下方向に所定の間隔を空けて配置された複数の棚板を有するオーディオラックであって、発熱が大きいオーディオ機器が設置される前記棚板に対して１つ上側の前記棚板である上棚板は、所定厚さの金属製の板で形成され、前記上棚板の下面側に、当該下面の表面積を増加させるための凹凸部が設けられているオーディオラックである。
【０００７】
前記凹凸部は、前記上棚板の下面側の中央部から同心円状に配置した複数の凹条又は凸条により設けられている。あるいは、前記凹凸部は、前記上棚板の下面側の中央部から放射状に配置された複数の凹条又は凸条により設けられている。前記上棚板は、アルミ製であることが好ましい。
【考案の効果】
【０００８】
本考案のオーディオラックによれば、上棚板が熱伝導性に優れた金属製の板で成り、上棚板の下面の表面積を大きくする凹凸部が設けられているので、下方に設置されたオーディオ機器の熱を上棚板の下面で効率よく吸収することができ、その熱が上棚板全体に広く分散し、上棚板の上面から放射される。したがって、オーディオ機器の熱を効果的に逃がすことができ、上棚板が局部的に高温になることもないので、複数のオーディオ機器をコンパクトに収容することができる。
【図面の簡単な説明】
【０００９】
【図１】本考案のオーディオラックの一実施形態の外観を示す斜視図（ａ）、（ｂ）である。
【図２】図１の上棚板を示す底面図（ａ）、Ａ−Ａ断面図（ｂ）である。
【図３】この実施形態のオーディオラックにオーディオ機器が設置された状態を示す正面図である。
【図４】図１の上棚板の変形例を示す底面図（ａ）、Ｂ−Ｂ断面図（ｂ）である。
【考案を実施するための形態】
【００１０】
以下、本考案のオーディオラックの一実施形態について、図１〜図３に基づいて説明する。この実施形態のオーディオラック１０は、図１（ａ）、（ｂ）に示すように、上下方向に所定間隔を空けて配置された４つの棚板１２〜１８と、各棚板１２〜１８の角部を支持する４つの支柱２０とで構成されている。
【００１１】
棚板１２は、ほぼ四角形の外形を有した所定厚さの金属製の板である。金属の種類は、例えば、比較的軽量で加工しやすく熱伝導率も大きいアルミニウムが適している。棚板１２は、図２（ａ）、（ｂ）に示すように、上面１２ａが平坦で、下面１２ｂには、中央部から同心円状に複数の凹条を形成することにより、下面１２ｂの表面積（空気に触れる面積）を増加させるための凹凸部１２ｃが設けられている。
【００１２】
棚板１４，１６，１８は、棚板１２と同じ部材であり、それぞれ上面１４ａ，１６ａ，１８ａ、下面１４ｂ，１６ｂ，１８ｂ、及び凹凸部１４ｃ，１６ｃ，１８ｃを有している。
【００１３】
４つの支柱２０は、細長い金属製の板材で、片側の面には、棚板１２〜１８の側端部に係合して支持する多数の段部が形成されている。棚板１２〜１８の取り付け高さは、どの段部に固定するかによって変更することができる。また、支柱２０の下端部が振動吸収機能を備えた台座２０ａにより支持されている。
【００１４】
図３は、オーディオラック１０に、発熱が大きいオーディオ機器であるパワーアンプ２２が設置された状態を示している。パワーアンプ２２は、例えば真空管アンプであり、真空管等の発熱部品２２ａが筐体から上方に突出している。この真空管は、通電中にガラス表面の温度が百数十度になる場合がある。図３では、パワーアンプ２２ａが棚板１６に設置されているので、棚板１６の１つ上側の棚板１４が上棚板となる。もし、パワーアンプ２２が棚板１８に設置された場合は、棚板１８の１つ上側の棚板１６が上棚板となる。
【００１５】
図３に示す設置状態でパワーアンプ２２が稼働すると、発熱部品２２ａが放出した熱Ｈは、上棚板１４の下面１４ｂの、広い表面積を有した凹凸部１４ｃに効率よく吸収されるとともに、熱伝導性に優れた金属製の上棚板１４全体に広く分散し、上面１４ａから効率よく放射される。したがって、オーディオラック１０は、パワーアンプ２２の熱を効果的に逃がすことができ、上棚板１４が局部的に高温になることもないので、複数のオーディオ機器をコンパクトに収容することができる。
【００１６】
なお、本発明のオーディオラックは、上記実施形態に限定されるものではない。上棚板の下面の凹凸部の形状や寸法は、放熱性能やデザイン性を考慮して自由に変更することができる。例えば、図２に示す凹凸部１２ｃは、複数の凹条により設けられているが、複数の凸状により設けてもよい。また、図２に示す凹凸部１２ｃは、複数の凹条を中央部から同心円状に配置したレイアウトになっているが、例えば、図４（ａ）、（ｂ）に示すように、複数の凹条（又は凸状）を中央部から放射状に配置したレイアウトにしてもよい。
【００１７】
オーディオラック１０の場合、構成部材の種類を少なくしてコストダウンを図るため、４つの棚板１２〜１４として同一の部材を使用しているが、上棚板１４以外の棚板１２，１６，１８は、パワーアンプ２２の放熱にさほど寄与しないので、「下面に所定の凹凸部を有した金属製の板」ではない構造に変更することができる。
【００１８】
その他、棚板の外形は四角形に限定されず、棚板の数も適宜変更することができる。また、棚板の支持構造についても特に限定されず、上記の支柱２０で支持する構造以外の構造に変更することができる。
【符号の説明】
【００１９】
１０  オーディオラック
１２，１６，１８  棚板
１４  棚板（上棚板）
１４ａ  上面
１４ｂ  下面
１４ｃ  凹凸部
２２  パワーアンプ（発熱が大きいオーディオ機器）
【図１】
0003209820.tif 000003
【図２】
0003209820.tif 000004
【図３】
0003209820.tif 000005
【図４】
0003209820.tif 000006